(57)【特許請求の範囲】
【請求項１】
ｎ個の胴板が連設されてｎ角形の外郭をなす胴部と、
胴部の各胴板の下縁から延出したｎ個の底板が組合わされて形成される底部と、
胴部の各胴板の上縁から延出した少なくとも１個の蓋板が折り曲げられて形成される蓋部とを有し、
ｎ個の各底板が胴部の内部で互いに係止して概ねｎ角錘状をなす山形状底部を形成し、山形状底部に載置される内容物を該山形状底部と蓋部との間で弾性保持可能にする箱であって、
前記胴部が各一対の側面胴板と端面胴板を連設し、
各側面胴板の下縁から延出した側底板と、各端面胴板の下縁から延出した端底板とが、胴部の内部に折り込まれ、かつ各側底板又は各端底板に連設されている貼着片を介して貼り合わされ、側底板と端底板の貼り合わせ底板を２組形成し、
両貼り合わせ底板の各上縁に形成したロック部を互いに係止させて前記山形状底部を形成し、
前記山形状底部に載置される内容物の下面に設けた係合部が係合する回り止め部を、該山形状底部を構成している両貼り合わせ底板の上縁突部により形成し、山形状底部に載置される内容物を該山形状底部の上縁突部と蓋部との間で弾性保持可能にする箱。
【請求項２】
前記胴部の高さをＨ、胴部の底面に対して山形状底部の上縁突部がなす高さをｈ1とし、内容物の上面と下面の間隔をｈ2とするとき、Ｈ≦ｈ1＋ｈ2とする請求項１に記載の箱。
【請求項３】
各側底板の上縁に上縁フラップを延出するとともに、各端底板の上縁に上縁フラップを延出する請求項１又は２に記載の箱。
【請求項４】
各端底板に延出する上縁フラップが、該端底板の上縁における該端底板と側底板の貼着交差線Ｌ1の頂部寄りの一部を除く部分に設けられる請求項３に記載の箱。
【発明の詳細な説明】
【技術分野】
【０００１】
本発明は胴部の内部に山形状底部を形成した上げ底を備える箱に関する。
【背景技術】
【０００２】
胴部の内部に山形状底部を形成した箱として、特許文献１に記載のものがある。この箱は、胴部の周囲４面のうちの相対する２面の各下縁に底板を設け、各底板を胴部の内部に折り込んでＶ字状に結合し、両流れ屋根状の底部を形成するものである。
【先行技術文献】
【特許文献】
【０００３】
【特許文献１】特開2007-276865
【発明の概要】
【発明が解決しようとする課題】
【０００４】
特許文献１に記載の箱は、胴部の相対する２面の各下縁に設けた底板を胴部の内部でＶ字状に結合することにより、両流れ屋根状の底部を形成した。両流れ屋根状の底部は、胴部の相対する２面の各下縁に両端支持されるものになり、この箱に収容される内容物の重量を受けてばね変形することがない。従って、箱の落下時に、両流れ屋根状の底部が内容物に及ぼす緩衝包装効果を期待することができない。
【０００５】
また、特許文献１に記載の箱は、両流れ屋根状の底部を胴部の内部の全幅に渡って形成するものであり、この箱に内容物を収容する際に、両流れ屋根状に組み合わされた線状の上部（直線状棟）のみで支えることになるので安定性が悪いだけでなく、底部に載置される内容物を両流れ屋根状をなす直線状棟の上で回り止めできない。即ち、箱に対する内容物の収納姿勢を規制し難い。
【０００６】
本発明の課題は、胴部の内部に山形状底部を形成した上げ底を備える箱において、内容物をその底部により緩衝包装することにある。
【０００７】
本発明の他の課題は、箱に対する内容物の収納姿勢を規制することにある。
【課題を解決するための手段】
【０００８】
請求項１の発明は、ｎ個の胴板が連設されてｎ角形の外郭をなす胴部と、胴部の各胴板の下縁から延出したｎ個の底板が組合わされて形成される底部と、胴部の各胴板の上縁から延出した少なくとも１個の蓋板が折り曲げられて形成される蓋部とを有し、ｎ個の各底板が胴部の内部で互いに係止して概ねｎ角錘状をなす山形状底部を形成し、山形状底部に載置される内容物を該山形状底部と蓋部との間で弾性保持可能にする箱であって、前記胴部が各一対の側面胴板と端面胴板を連設し、各側面胴板の下縁から延出した側底板と、各端面胴板の下縁から延出した端底板とが、胴部の内部に折り込まれ、かつ各側底板又は各端底板に連設されている貼着片を介して貼り合わされ、側底板と端底板の貼り合わせ底板を２組形成し、両貼り合わせ底板の各上縁に形成したロック部を互いに係止させて前記山形状底部を形成し、前記山形状底部に載置される内容物の下面に設けた係合部が係合する回り止め部を、該山形状底部を構成している両貼り合わせ底板の上縁突部により形成し、山形状底部に載置される内容物を該山形状底部の上縁突部と蓋部との間で弾性保持可能にするものである。
【０００９】
請求項２の発明は、請求項１の発明において更に、前記胴部の高さをＨ、胴部の底面に対して山形状底部の上縁突部がなす高さをｈ1とし、内容物の上面と下面の間隔をｈ2とするとき、Ｈ≦ｈ1＋ｈ2とするようにしたものである。
【００１０】
請求項３の発明は、請求項１又は２の発明において更に、各側底板の上縁に上縁フラップを延出するとともに、各端底板の上縁に上縁フラップを延出するようにしたものである。
【００１１】
請求項４の発明は、請求項３の発明において更に、各端底板に延出する上縁フラップが、該端底板の上縁における該端底板と側底板の貼着交差線Ｌ1の頂部寄りの一部を除く部分に設けられるようにしたものである。
【発明の効果】
【００１３】
本発明によれば、胴部の内部に山形状底部を形成した上げ底を備える箱において、内容物をその底部により緩衝包装することができる。
また、本発明によれば、箱に対する内容物の収納姿勢を規制することができる。
【図面の簡単な説明】
【００１４】
【図１】図１は実施例１の箱のブランクを示す展開図である。
【図２】図２は箱の組立前の折りたたみ状態を示す平面図である。
【図３】図３は箱の組立状態を示す正面図である。
【図４】図４は箱の組立過程を示し、（Ａ）は組立中の底面図、（Ｂ）は組立後の底面図である。
【図５】図５は内容物を示し、（Ａ）は断面図、（Ｂ）は底面図である。
【図６】図６は内容物を収納した箱を示し、（Ａ）は正面図、（Ｂ）は底面図である。
【図７】図７は実施例２の箱のブランクを示す展開図である。
【図８】図８は箱の組立状態を示し、（Ａ）は正面図、（Ｂ）は側面図である。
【図９】図９は箱の組立状態を示す底面図である。
【発明を実施するための形態】
【００１５】
以下本発明を、その好ましい実施形態に基づき図面を参照しながら説明する。各図中、同一符号は同一又は同等の構成要素を表している。
【００１６】
（実施例１）（図１〜図６）
実施例１の箱１は、プラスチック、又は紙等のシート材からなる、図１に示すブランクを折り曲げて形成されるものである。箱１は、本実施例では透明のプラスチックシート材からなり、後述する組立状態で、箱１の内部を外部から透視できる。箱１は、４個の胴板１１〜１４が連設されて４角形の外郭をなす胴部１０と、胴部１０の各胴板１１〜１４の下縁から延出した４個の底板２１〜２４が組合されて形成される底部２０と、胴部１０の各胴板１１〜１４の上縁から延出した４個の蓋板３１〜３４が折り曲げられて形成される蓋部３０とを有する。そして、箱１は、４個の各底板２１〜２４が胴部１０の内部で互いに交差するように噛合いされ、概ね４角錘状をなす山形状底部２０を形成する。
【００１７】
図１に示すブランクでは、各一対の側面胴板１１、１２と端面胴板１３、１４が互いに連設される。胴部１０の周方向における、側面胴板１１、１２の長さｘ、端面胴板１３、１４の長さｙとする。各側面胴板１１、１２の下縁から側底板２１、２２が長さｚ1延出され、各端面胴板１３、１４の下縁から端底板２３、２４が長さｚ2延出される。側底板２１、２２の上縁には、後述の貼着交差線Ｌ１、Ｌ２の各頂部ａ、ｂから先端に向けて上縁突部２１Ａ、２２Ａが突出して形成される。側底板２１、２２は、側面胴板１１、１２の下縁に連なる下縁部の幅を側面胴板１１、１２の長さｘと同一の広幅とし、上縁部（上縁突部２１Ａ、２２Ａ）の幅を狭幅とする略台形状とされ、端底板２３、２４は、端面胴板１３、１４の下縁に連なる下縁部の幅を端面胴板１３、１４の長さｙと同一の広幅とし、上縁部の幅を狭幅とする略台形状とされるとともに、ｚ1＋ｚ2＞ｘ、ｚ1＋ｚ2＞ｙとされ、胴部１０の内部に山形状底部２０を突出形成を可能にする。各側面胴板１１、１２の上縁から側蓋板３１、３２が延出され、各端面胴板１３、１４の上縁から端蓋板３３、３４が延出される。尚、本実施例ではｘ＝ｙとされ、胴部１０の外郭を正四角形とする。
【００１８】
台形状の各側底板２１、２２には、斜折線２５を基端とする貼着片２６が設けられている。また、胴部１０を形成する一方の側面胴板１１の外側縁には糊付片１５が設けられている。更に、一方の側蓋板３１の先端縁には舌片３５が設けられている。
【００１９】
箱１は、このようなブランクを折り曲げられて形成されるものであり、側面胴板１１の糊付片１５を端面胴板１４に貼り合わせて胴部１０を形成する。そして、各側底板２１、２２と、各端底板２３、２４とが、図２に示す如くに胴部１０の内部に折り込まれ、かつ各側底板２１、２２に連設されている貼着片２６を介して貼り合わされる。これにより、側底板２１と端底板２３の貼り合わせ底板２７と、側底板２２と端底板２４の貼り合わせ底板２８の、２組の貼り合わせ底板２７、２８が形成される。２組の貼り合わせ底板２７、２８は、それぞれ各上縁にロック部２７Ｒ、２８Ｒを備える。ロック部２７Ｒは、貼り合わせ底板２７を形成する側底板２１の上縁側輪郭と貼着片２６の輪郭との交差部に凹状形成される。ロック部２８Ｒは、貼り合わせ底板２８を形成する側底板２２の上縁側輪郭と貼着片２６の輪郭との交差部に凹状形成される。胴部１０の内部に上述の貼り合わせ底板２７、２８が形成された箱１は、それらの貼り合わせ底板２７、２８を斜折線２５で２つ折りされ、側面胴板１１と端面胴板１３、側面胴板１２と端面胴板１４、側蓋板３１と端蓋板３３、側蓋板３２と端蓋板３４をそれぞれ重ね合され、図２に示す折りたたみ状態で保管できる。
【００２０】
箱１を組立状態で使用するには、図３に示す如く、側面胴板１１と端面胴板１３、側面胴板１２と端面胴板１４がそれぞれ直交するように折り起こす。これにより、両貼り合わせ底板２７、２８が図４に示す如くに胴部１０の内部で展開され、貼り合わせ底板２７のロック部２７Ｒと貼り合わせ底板２８のロック部２８Ｒが互いに係止し、山形状底部２０を形成するものになる。
【００２１】
このとき、山形状底部２０は、４個の各底板２１〜２４が胴部１０の内部で互いに係止して概ね４角錘状をなすものである。本実施例では、側底板２１と端底板２３の貼着交差線Ｌ1の頂部（上端部）ａと、側底板２２と端底板２４の貼着交差線Ｌ2の頂部（上端部）ｂとが、図４に示す如くに、胴部１０内の中央部の殆ど１点にて会合する。箱１のこの山形状底部２０の形成状態で、箱１の胴部１０の高さをＨ、胴部１０の底面に対して山形状底部２０の上縁突部２１Ａ、２２Ａがなす高さをｈ1とする（図３）。
【００２２】
図５は本発明の箱１に収容可能な内容物１００（例えばファンデーション等のジャー容器）の一例であり、この内容物１００を箱１に収容した状態を図６に示す。内容物１００は、胴部１０の上端開口から装填され、山形状底部２０を構成している各貼り合わせ底板２７、２８の各底板２１〜２４の平面視で互いに十字状をなす上縁部の上に載せられて支持される。両側底板２１、２２の上縁突部２１Ａ、２２Ａは、両端底板２３、２４の上縁部より貼着交差線の各頂部ａ、ｂより先端部分だけ長く突出しており、この上縁突部２１Ａ、２２Ａは内容物１００の下面に設けてある突条係合部１０１、１０２と係合し、内容物１００の収納姿勢を回り止め規制する回り止め部になる。このとき、内容物１００の高さ（内容物１００の上面と下面の間隔）をｈ2とする。本実施例では、Ｈ≦ｈ1＋ｈ2とし、箱１の中に内容物１００を収容した封緘状態で、山形状底部２０を構成する側底板２１、２２の上縁突部２１Ａ、２２Ａを若干押し付け、山形状底部２０に載置される内容物１００を該底部２０と蓋部３０の間で弾性保持可能にする。即ち、箱１の蓋部３０を閉じた状態では、内容物１００を押し付けているために箱１の組み立て時では胴部１０の底面から上縁突部２１Ａ、２２Ａまでの高さｈ1が、貼着交差線の各頂部ａ、ｂから突出している上縁突部２１Ａ、２２Ａの部分で湾曲しているため見かけ上は低くなっている。
【００２３】
箱１の中に内容物１００を収納した後、胴部１０の開口上部に両端蓋板３３、３４を折り重ね、両端蓋板３３、３４の上に側蓋板３１を折り重ね、その舌片３５を端面胴板１３の内側に差し込み封緘する。
【００２４】
本実施例によれば以下の作用効果を奏する。
(a)箱１の山形状底部２０は、４個の底板２１〜２４が胴部１０の内部で互いに係止して概ね４角錘状をなし、この山形状底部２０に載置される内容物１００を該底部２０の上縁突部２１Ａ、２２Ａと蓋部３０の間で弾性保持可能にする。従って、山形状底部２０の各底板２１〜２４は内容物１００の重量をその上縁突部２１Ａ、２２Ａに受けるときに、その上縁突部２１Ａ、２２Ａ〜各胴板１１〜１４の下縁に連設している下縁部の間で弾性曲げ変形（ばね変形）し得るものになる。従って、箱１の落下時に、山形状底部２０が内容物１００に緩衝包装効果を及ぼし、例えば内容物１００に収容されているファンデーション用粉体の充填品質を損なうことがない。
【００２５】
(b)箱１の山形状底部２０が、側底板２１、２２の上縁突部２１Ａ、２２Ａを、内容物１００の下面の突条係合部１０１、１０２に係合する回り止め部とした。これにより、箱１に対する内容物１００の収納姿勢を規制できる。箱１を構成するシート材が透明プラスチック等からなるとき、箱１の正面、背面等の絵柄等に、内容物１００の正面、背面等の絵柄等を合致させた収納姿勢を維持させるように包装することができる。
【００２６】
（実施例２）（図７〜図９）
実施例２の箱１は、実施例１の箱１と異なり、図７に示す如く、胴部１０の周方向における側面胴板１１、１２の長さｘを、端面胴板１３、１４の長さｙよりも短くし、胴部１０の外郭を矩形状としたことにある。
【００２７】
また、各端底板２３、２４に、斜折線２５を基端とする貼着片２６が設けられるものにした。そして、側底板２１、２２の上縁に上縁フラップ２１Ｆ、２２Ｆを延出するとともに、端底板２３、２４の上縁の頂部ａ、ｂ（側底板２１と端底板２４の貼着交差線Ｌ1の頂部（上端部）ａと、側底板２２と端底板２３の貼着交差線Ｌ2の頂部（上端部）ｂ）寄りの一部を除く部分に上縁フラップ２３Ｆ、２４Ｆを延出する。更に、側底板２１と端底板２４の貼着片２６による貼り合わせ底板２７のロック部２７Ｒを、端底板２４の上縁と上縁フラップ２４Ｆの交差隅部により形成し、側底板２２と端底板２３の貼着片２６による貼り合わせ底板２８のロック部２８Ｒを、端底板２３の上縁と上縁フラップ２３Ｆの交差隅部により形成する。
【００２８】
箱１を組立状態で使用するとき、図８、図９に示す如く、貼り合わせ底板２７のロック部２７Ｒと貼り合わせ底板２８のロック部２８Ｒとが係止し、山形状底部２０を形成する。このとき、山形状底部２０は、４個の各底板２１〜２４が胴部１０の内部で互いに係止して概ね４角錘状をなすものである。箱１のこの山形状底部２０の形成状態で、箱１の胴部１０の高さをＨ、胴部１０の底面に対して山形状底部２０の上縁フラップ２１Ｆ〜２４Ｆがなす高さをｈ1とする（図８）。この箱１に収容される内容物１００の高さ（内容物１００の上面と下面の間隔）をｈ2とする。本実施例では、Ｈ≦ｈ1＋ｈ2とし、箱１の中に内容物１００を収容した封緘状態で、山形状底部２０を構成する各底板２１〜２４の上縁フラップ２１Ｆ〜２４Ｆを若干押し付け、山形状底部２０に載置される内容物１００を該底部２０と蓋部３０の間で弾性保持可能にする。
【００２９】
従って、山形状底部２０の各底板２１〜２４は内容物１００の重量をその上縁フラップ２１Ｆ〜２４Ｆに受けるときに、その上縁フラップ２１Ｆ、２２Ｆ〜各胴板１１〜１４の下縁に連設している下縁部の間で弾性曲げ変形（ばね変形）し得るものになる。従って、箱１の落下時に、山形状底部２０が内容物１００に緩衝包装効果を及ぼし、例えば内容物１００に収容されているファンデーション用粉体の充填品質を損なうことがない。
【００３０】
本実施例では、側底板２１と端底板２４の貼着交差線Ｌ1の頂部（上端部）ａと、側底板２２と端底板２３の貼着交差線Ｌ2の頂部（上端部）ｂとが図９に示す如く、胴部１０内の中央部で、両ロック部２７Ｒ、２８Ｒの係止点を挟む両側２点に位置するものになる。
【００３１】
箱１を組立状態で使用するとき、山形状底部２０を構成する各底板２１〜２４の上縁フラップ２１Ｆ〜２４Ｆは、それら底板２１〜２４の上縁から水平に折り曲げられ、風車状に広がるために、内容物１００を載せて支持する水平支持面を形成するものとすることができる。この場合にも、箱１の中に内容物１００を収容した封緘状態で、山形状底部２０を構成する各底板２１〜２４の上縁フラップ２１Ｆ〜２４Ｆを若干押し付け、山形状底部２０に載置される内容物１００を該底部２０と蓋部３０の間で弾性保持可能にする。
【００３２】
尚、両側底板２１、２２の上縁フラップ２１Ｆ、２２Ｆ、又は両端底板２３、２４の上縁フラップ２３Ｆ、２４Ｆを屹立させ、内容物１００の下面に設けた突条係合部１０１、１０２と係合する回り止め部とすることもできる。
【００３３】
尚、本発明は、ｎ個の胴板が連設されてｎ角形の外郭をなす胴部と、胴部の各胴板の下縁から延出したｎ個の底板が組合わされて形成される底部とを有する箱において、ｎ＝3、5、6・・・とすることができる。
【産業上の利用可能性】
【００３４】
本発明によれば、胴部の内部に山形状底部を形成した上げ底を備える箱において、内容物をその底部により緩衝包装することができる。また、箱に対する内容物の収納姿勢を規制することができる。また、透明シート材からなる箱とすれば、山形状の底部を胴部の中に透視するものになり、優れた意匠性を呈する。
【符号の説明】
【００３５】
１  箱
１０  胴部
１１、１２  側面胴板
１３、１４  端面胴板
２０  底部
２１、２２  側底板
２３、２４  端底板
２１Ａ、２２Ａ  上縁突部
２１Ｆ〜２４Ｆ  上縁フラップ（上縁突部）
２６  貼着片
２７、２８  貼り合わせ底板
２７Ｒ、２８Ｒ  ロック部
１００  内容物
１０１、１０２  係合部
【図１】
0005426291.tif 000002
【図２】
0005426291.tif 000003
【図３】
0005426291.tif 000004
【図４】
0005426291.tif 000005
【図５】
0005426291.tif 000006
【図６】
0005426291.tif 000007
【図７】
0005426291.tif 000008
【図８】
0005426291.tif 000009
【図９】
0005426291.tif 000010